(57)【要約】【課題】  設置場所と電源との両方を容易に確保することができる情報処理装置、および情報処理システムを提供する。【解決手段】  情報処理装置１のシーリングキャップ１１ｂは、上面１１ａに設けられて、天井面１００に取り付けられたシーリングボディ２に着脱可能に構成され、シーリングボディ２から受電する。シーリングボディ１１ｅは、下面１１ｄに設けられて、照明器具３を着脱可能に構成され、シーリングキャップ１１ｂが受電した電力を照明器具３へ供給する。通知信号送信部１ｆは、ユーザに対する情報の通知機能を有するプロジェクタ装置４へ通知信号を送信する。情報処理部１ｅは、入力情報に基づく通知情報を含む通知信号を通知信号送信部１ｆから送信させる。【選択図】図１
2017073744.tif 000002
【特許請求の範囲】
【請求項１】
互いに対向する第１面および第２面を有する筐体と、
前記第１面に設けられて、造営面に取り付けられた給電部に着脱可能に構成され、前記給電部から受電する第１取付部と、
前記第２面に設けられて、照明器具を着脱可能に構成され、前記第１取付部が受電した電力を前記照明器具へ供給する第２取付部と、
ユーザに対する情報の通知機能を有する通知機器へ通知信号を送信する通知信号送信部と、
入力情報に基づく通知情報を含む通知信号を前記通知信号送信部から送信させる情報処理部
とを備えることを特徴とする情報処理装置。
【請求項２】
互いに対向する第１面および第２面を有する筐体と、
前記第１面に設けられて、造営面に取り付けられた給電部に着脱可能に構成され、前記給電部から受電する第１取付部と、
前記第１面に設けられて、照明器具を着脱可能に構成され、前記第１取付部が受電した電力を前記照明器具へ供給する第２取付部と、
入力情報に基づく画像信号を出力する情報処理部と、
前記画像信号に基づく映像を生成する映像生成部
とを備えることを特徴とする情報処理装置。
【請求項３】
外部機器を制御する制御信号を送信する制御信号送信部をさらに備え、
前記情報処理部は、前記入力情報に基づいて前記制御信号送信部から前記制御信号を送信させる
ことを特徴とする請求項１または２記載の情報処理装置。
【請求項４】
前記入力情報を外部から取得する情報取得部をさらに備えることを特徴とする請求項１乃至３のいずれか一項に記載の情報処理装置。
【請求項５】
音声を集音するマイクロホンと、前記マイクロホンで集音された音声信号の音声認識を行って、認識結果を出力する音声認識部とをさらに備え、
前記入力情報は、前記音声認識部の出力を含む
ことを特徴とする請求項１乃至４のいずれか一項に記載の情報処理装置。
【請求項６】
互いに対向する第１面および第２面を有する筐体、前記第１面に設けられて、造営面に取り付けられた給電部に着脱可能に構成され、前記給電部から受電する第１取付部、前記第２面に設けられて、照明器具を着脱可能に構成され、前記第１取付部が受電した電力を前記照明器具へ供給する第２取付部、ユーザに対する情報の通知機能を有する通知機器へ通知信号を送信する通知信号送信部、入力情報に基づく通知情報を含む通知信号を前記通知信号送信部から送信させる情報処理部を備える情報処理装置と、
前記情報処理装置から受け取った前記通知情報をユーザへ通知する通知機器
とを備えることを特徴とする情報処理システム。
【発明の詳細な説明】
【技術分野】
【０００１】
本発明は、情報処理装置、および情報処理システムに関する。
【背景技術】
【０００２】
既設の屋内配線された引掛シーリングボディと、既存の照明装置に付属した引掛けシーリングキャップとの間に、照明制御装置を介在させ、この照明制御装置によって照明装置の点灯、消灯を切り替える従来技術がある（たとえば、特許文献１参照）。この照明制御装置は、リモコン装置から送信される赤外線信号によって、照明装置の点灯、消灯を切り替える。
【先行技術文献】
【特許文献】
【０００３】
【特許文献１】特開２００１−２５６８２２号公報
【発明の概要】
【発明が解決しようとする課題】
【０００４】
近年、屋内において、情報処理装置が、タブレット端末、スマートフォン、パーソナルコンピュータなどの情報機器へ各種情報を送信し、情報機器がユーザへ情報を通知するシステムがある。この結果、屋内のユーザは、各種情報を知ることができる。
【０００５】
このシステムでは、情報機器へ各種情報を送信する情報処理装置を屋内に設置しなければならず、この情報処理装置の設置場所を確保し、さらには情報処理装置の電源も確保する必要があった。しかし、限られた屋内のスペースの中で、電源を確保可能な設置場所を見つけることは難しく、この点が課題となっていた。
【０００６】
本発明は、上記事由に鑑みてなされており、その目的は、設置場所と電源との両方を容易に確保することができる情報処理装置、および情報処理システムを提供することにある。
【課題を解決するための手段】
【０００７】
本発明の情報処理装置は、互いに対向する第１面および第２面を有する筐体と、前記第１面に設けられて、造営面に取り付けられた給電部に着脱可能に構成され、前記給電部から受電する第１取付部と、前記第２面に設けられて、照明器具を着脱可能に構成され、前記第１取付部が受電した電力を前記照明器具へ供給する第２取付部と、ユーザに対する情報の通知機能を有する通知機器へ通知信号を送信する通知信号送信部と、入力情報に基づく通知情報を含む通知信号を前記通知信号送信部から送信させる情報処理部とを備えることを特徴とする。
【０００８】
本発明の情報処理装置は、互いに対向する第１面および第２面を有する筐体と、前記第１面に設けられて、造営面に取り付けられた給電部に着脱可能に構成され、前記給電部から受電する第１取付部と、前記第１面に設けられて、照明器具を着脱可能に構成され、前記第１取付部が受電した電力を前記照明器具へ供給する第２取付部と、入力情報に基づく画像信号を出力する情報処理部と、前記画像信号に基づく映像を生成する映像生成部とを備えることを特徴とする。
【０００９】
本発明の情報処理システムは、互いに対向する第１面および第２面を有する筐体、前記第１面に設けられて、造営面に取り付けられた給電部に着脱可能に構成され、前記給電部から受電する第１取付部、前記第２面に設けられて、照明器具を着脱可能に構成され、前記第１取付部が受電した電力を前記照明器具へ供給する第２取付部、ユーザに対する情報の通知機能を有する通知機器へ通知信号を送信する通知信号送信部、入力情報に基づく通知情報を含む通知信号を前記通知信号送信部から送信させる情報処理部を備える情報処理装置と、前記情報処理装置から受け取った前記通知情報をユーザへ通知する通知機器とを備えることを特徴とする。
【発明の効果】
【００１０】
以上説明したように、本発明では、設置場所と電源との両方を容易に確保することができるという効果がある。
【図面の簡単な説明】
【００１１】
【図１】実施形態１の情報処理装置の構成を示すブロック図である。
【図２】実施形態１のシーリングボディと情報処理装置と照明器具との組み立て時の外観を示す斜視図である。
【図３】実施形態１のシーリングボディと情報処理装置と照明器具との外観を示す分解斜視図である。
【図４】実施形態１のシーリングボディ、情報処理装置、照明器具の構成を示す概略図である。
【図５】実施形態１の情報処理システムの外観を示す斜視図である。
【図６】実施形態１の入力情報の取得構成を示すブロック図である。
【図７】実施形態１の情報処理装置の内部構成を示す斜視図である。
【図８】実施形態２の情報処理装置の構成を示すブロック図である。
【図９】実施形態２の情報処理装置の外観を示す斜視図である。
【図１０】実施形態３の情報処理装置の構成を示すブロック図である。
【図１１】実施形態３の情報処理装置の外観を示す斜視図である。
【発明を実施するための形態】
【００１２】
以下、本発明の実施の形態を図面に基づいて説明する。
【００１３】
（実施形態１）
本実施形態の図１に示す情報処理装置１は、図２〜図４に示すように、引掛シーリングボディ（以降、シーリングボディと称す）２と照明器具３との間に設けられる。そして、情報処理装置１は、図５に示すようにプロジェクタ装置４と組み合わされて情報処理システムＡ１を構成する。なお、本実施形態では、戸建ての住戸に情報処理システムＡ１を適用した形態について説明するが、集合住宅や事業所などの他の施設に情報処理システムＡ１を適用してもよいことは言うまでもない。
【００１４】
シーリングボディ２（給電部）は、天井面１００（造営面）に設けられた配線器具である。シーリングボディ２は、交流電力の供給を受けて動作する交流機器（たとえば、照明装置など）の引掛シーリングキャップ（以降、シーリングキャップと称す）が着脱可能に接続され、シーリングキャップを介して、外部から供給された交流電力を交流機器に供給する。ここで、シーリングボディとシーリングキャップとでシーリングローゼットを構成する。
【００１５】
情報処理装置１は、中空の円柱状の筐体１１を備える。筐体１１の上面１１ａ（第１面）の中央部には、シーリングキャップ１１ｂ（第１取付部）が設けられている（図１、図４参照）。シーリングキャップ１１ｂは、２つの引掛栓刃１１ｃを有している。２つの引掛栓刃１１ｃのそれぞれは、シーリングボディ２の下面に設けられた２つの円弧形状の挿入孔２１（図３参照）のそれぞれに挿入される。そして、筐体１１を時計回り（第１方向）に回転させることで、２つの引掛栓刃１１ｃのそれぞれがシーリングボディ２内の電極に接触した状態で、情報処理装置１はシーリングボディ２に機械的、電気的に接続される。情報処理装置１は、シーリングボディ２に装着されている場合に、シーリングボディ２から引掛栓刃１１ｃを介して供給される交流電力を用いて動作する。また、シーリングボディ２に装着された情報処理装置１は、筐体１１を反時計回り（第２方向）に回転させることで、２つの引掛栓刃１１ｃのそれぞれがシーリングボディ２内の電極から離れて、情報処理装置１はシーリングボディ２から取り外される。
【００１６】
筐体１１の下面１１ｄ（第２面）の中央部には、シーリングボディ１１ｅ（第２取付部）が設けられている（図３参照）。シーリングボディ１１ｅは、２つの円弧形状の挿入孔１１ｆが形成されており（図３参照）、挿入孔１１ｆ内の電極は、筐体１１内で引掛栓刃１１ｃに電気的に接続している。すなわち、シーリングキャップ１１ｂがシーリングボディ２から受電した交流電力は、シーリングボディ１１ｅから給電可能になる。
【００１７】
照明器具３は、シーリングキャップ３１と、シーリングキャップ３１に一端を接続した電気ケーブル３２と、電気ケーブル３２の他端に接続された灯具３３と、電気ケーブル３２の一端側を覆うカバー３４とを備える（図２〜図４参照）。カバー３４は、上端を開口した円柱状の箱体に形成されており、下面に設けた孔３４ａを電気ケーブル３２が挿通する。
【００１８】
シーリングキャップ３１は、２つの引掛栓刃３１ａを有している（図４参照）。２つの引掛栓刃３１ａのそれぞれは、シーリングボディ１１ｅに設けた２つの挿入孔１１ｆのそれぞれに挿入される。そして、シーリングキャップ３１を時計回りに回転させることで、２つの引掛栓刃３１ａのそれぞれがシーリングボディ１１ｅ内の電極に接触した状態で、シーリングキャップ３１はシーリングボディ１１ｅに機械的、電気的に接続される。シーリングキャップ３１は、シーリングボディ１１ｅに装着されている場合に、シーリングボディ１１ｅから供給される交流電力を引掛栓刃３１ａを介して受電することができる。そして、シーリングキャップ３１がシーリングボディ１１ｅから受電した交流電力は、電気ケーブル３２を介して灯具３３に供給され、灯具３３を点灯させる点灯電力となる。また、シーリングボディ１１ｅに装着されたシーリングキャップ３１は、反時計回りに回転させることで、２つの引掛栓刃３１ａのそれぞれがシーリングボディ１１ｅ内の電極から離れて、シーリングキャップ３１はシーリングボディ１１ｅから取り外される。
【００１９】
また、照明器具３のシーリングキャップ３１は、シーリングボディ２に直接取り付けることも可能である。すなわち、シーリングボディ２とシーリングキャップ１１ｂとの連結構造と、シーリングボディ１１ｅとシーリングキャップ３１との連結構造とは同一構造となる。
【００２０】
さらに、天井面１００にはプロジェクタ装置４（通知機器）が設置されており、情報処理装置１は、プロジェクタ装置４による映像投影を制御することができる（図５参照）。
【００２１】
以下、情報処理装置１について説明する。
【００２２】
情報処理装置１は図１に示すように、筐体１１内に、電源部１ａ、情報取得部１ｂ、マイクロホン１ｃ、音声認識部１ｄ、情報処理部１ｅ、通知信号送信部１ｆ、音声合成部１ｇ、スピーカ１ｈを備える。
【００２３】
電源部１ａは、引掛栓刃１１ｃを介してシーリングボディ２から供給される交流電圧を直流電圧に変換して、情報処理装置１内の上述の各部へ駆動電力を供給する。
【００２４】
情報取得部１ｂは、たとえば無線ＬＡＮを用いた通信機能を備えており、宅内および宅外から入力情報を取得することができる。具体的に、情報取得部１ｂは、図６に示すように、住戸内に設けたルータ２０１を経由して、住戸に設けた各種センサ（たとえば、人感センサ２０２、温度センサ２０３など）からセンサ信号（入力情報）を取得（受信）することができる。あるいは、情報取得部１ｂは、住戸に設けた各種センサからセンサ信号を直接取得してもよい。なお、情報取得部１ｂは、人感センサ２０２、温度センサ２０３から定期的にセンサ信号を取得する構成、情報処理部１ｅからの指示によってセンサ信号を取得する構成のいずれであってもよい。また、情報取得部１ｂは、ルータ２０１を介して、インターネットなどを含む広域通信網３０１に接続して、外部のサーバ３０２から各種情報（入力情報）を取得（受信）することもできる。情報取得部１ｂは、人感センサ２０２、温度センサ２０３、サーバ３０２などから取得した入力情報を情報処理部１ｅへ出力する。
【００２５】
マイクロホン１ｃは、宅内の音声を集音することができ、集音した音声を電気信号として音声認識部１ｄへ出力する。音声認識部１ｄは、マイクロホン１ｃの出力に基づいて音声認識処理を行うことで、集音された音声を認識して、予め記憶している音声パターンと比較することで、集音された音声が表す言葉（単語、文節、文）を特定する。音声認識部１ｄは、言葉の特定結果を情報処理部１ｅへ出力する。なお、音声認識部１ｄの出力も、音声認識部１ｄの入力情報に相当する。
【００２６】
なお、外部のサーバに音声認識部１ｄの機能を設けて、情報処理装置１は、マイクロホン１ｃの出力をこのサーバへ送信してもよい。この場合、サーバは、集音された音声が表す言葉を特定して、言葉の特定結果を情報処理装置１へ送信する。一般に、音声認識処理の負荷は大きいため、この音声認識処理をサーバに行わせることで、情報処理装置１の処理負荷を低減させることができる。
【００２７】
情報処理部１ｅは、情報取得部１ｂおよび音声認識部１ｄのそれぞれの出力に基づく通知信号として、画像信号およびテキストデータを生成する。
【００２８】
通知信号送信部１ｆは、ＨＤＭＩ（登録商標）（High Definition Multimedia Interface）に準拠したインターフェイスを備えており、情報処理部１ｅが生成した画像信号をＨＤＭＩの規格に沿って出力する。通知信号送信部１ｆは、ＨＤＭＩケーブル５を介してプロジェクタ装置４に接続されている（図１参照）。プロジェクタ装置４は、ＨＤＭＩケーブル５を介して通知信号送信部１ｆから画像信号を入力される。
【００２９】
プロジェクタ装置４は、矩形箱状の筐体４１を備えている。そして、筐体４１は、天井面１００に設置された板状のベース４３にアーム４４を介して取り付けられている。筐体４１の側面には投影レンズ４２が配置されている（図５参照）。そして、プロジェクタ装置４は、入力された画像信号に基づいて、投影レンズ４２から住戸の壁面、スクリーンなどに映像を投影する。筐体４１は、アーム４４を軸として回転可能に構成されており、筐体４１を回転させることによって投影方向を調整することができる。
【００３０】
また、音声合成部１ｇは、情報処理部１ｅが生成したテキストデータを音声信号に変換して、スピーカ１ｈへ出力する。スピーカ１ｈは、入力された音声信号に基づいて、音声を出力する。
【００３１】
音声認識部１ｄ、情報処理部１ｅ、および音声合成部１ｇは、プログラムを実行するコンピュータを主なハードウェア要素として備えている。そして、コンピュータがプログラムを実行することによって、音声認識部１ｄ、情報処理部１ｅ、および音声合成部１ｇのそれぞれの機能が実現されている。この場合、音声認識部１ｄ、情報処理部１ｅ、および音声合成部１ｇのそれぞれの機能毎に個別のコンピュータを備えてもよい。あるいは、音声認識部１ｄ、情報処理部１ｅ、および音声合成部１ｇの全ての機能を１つのコンピュータで実現してもよい。さらに、音声認識部１ｄ、情報処理部１ｅ、および音声合成部１ｇのいずれか１つ以上の機能を、外部のサーバによって実現してもよい。
【００３２】
コンピュータは、プログラムを実行するプロセッサを備えたデバイスと、他の装置との間でデータを授受するためのインターフェイス用のデバイスと、データを記憶するための記憶用のデバイスとを主な構成要素として備える。プロセッサを備えたデバイスは、半導体メモリと別体であるＣＰＵ（Central Processing Unit）またはＭＰＵ（Micro Processing Unit）またはＤＳＰ（Digital Signal Processor）のほか、半導体メモリを一体に備えるマイコンのいずれであってもよい。記憶用のデバイスは、半導体メモリのようにアクセス時間が短い記憶装置と、ハードディスク装置のような大容量の記憶装置とが併用される。
【００３３】
プログラムの提供形態としては、コンピュータに読み取り可能なＲＯＭ（Read Only Memory）、光ディスク等の記録媒体に予め格納されている形態、広域通信網３０１を介して記録媒体に供給される形態等がある。
【００３４】
図７は、筐体１１内における各部の配置を示している。電源部１ａ、情報取得部１ｂ、マイクロホン１ｃ、音声認識部１ｄ、情報処理部１ｅ、通知信号送信部１ｆ、音声合成部１ｇ、スピーカ１ｈの各部は、円形の筐体１１内に周方向に並んで配置されている。スピーカ１ｈは、筐体１１の側面に設けたスリット１１ｇに対向している。そして、スピーカ１ｈが出力する音声は、スリット１１ｇを通って筐体１１外へ伝達される。
【００３５】
たとえば、サーバ３０２が、住戸に電力を供給している電力会社によって管理されていると仮定する。電力会社は、電力の需要と供給とのバランスを保つために、電力のピークカットなどを目的として、需要家に対して電力の使用量削減を要請する場合がある。この場合、サーバ３０２から電力削減要求が送信され、情報取得部１ｂが、この電力削減要求を受信する。そして、情報処理部１ｅは、電力削減要求の内容を通知する画像情報を作成し、この画像情報を含む画像信号を通知信号送信部１ｆから送信させる。プロジェクタ装置４は、電力削減要求の内容（電力の削減要求量、要求期間など）を示す画像を投影して、ユーザに対して電力削減要求の内容を通知する。
【００３６】
さらに、電力削減要求を受信した情報処理部１ｅは、電力削減要求の内容を通知するテキストデータを作成し、このテキストデータを音声合成部１ｇへ出力する。音声合成部１ｇは、このテキストデータを音声信号に変換して、スピーカ１ｈから出力させる。この場合、電力削減要求があった旨、電力の削減要求量、要求期間などが音声でユーザに通知される。
【００３７】
また、人感センサ２０２が住戸（または住戸の敷地）への侵入者を検出する防犯用のセンサであると仮定する。そして、侵入者を検出した人感センサ２０２が出力するセンサ信号を、情報取得部１ｂが受信したとする。この場合、情報処理部１ｅは、侵入者の検出を通知する画像情報（通知情報）を作成し、この画像情報を含む画像信号を通知信号送信部１ｆから送信させる。プロジェクタ装置４は、侵入者検出の内容（検出場所、検出時刻など）を示す画像を投影して、ユーザに対して警戒の必要性がある旨を通知する。
【００３８】
さらに、人感センサ２０２が侵入者検出時に出力するセンサ信号を受信した情報処理部１ｅは、侵入者検出の内容を通知するテキストデータを作成し、このテキストデータを音声合成部１ｇへ出力する。音声合成部１ｇは、このテキストデータを読み上げる音声情報（通知情報）を含む音声信号を生成して、スピーカ１ｈから出力させる。この場合、侵入者を検出した旨、検出場所、検出時刻などが音声でユーザに通知される。
【００３９】
また、宅内のユーザが室温を知ろうとして発した「部屋の温度は？」という音声をマイクロホン１ｃが集音したとする。この場合、音声認識部１ｄは、マイクロホン１ｃの出力に基づいて音声認識処理を行うことで、「部屋の温度は？」という言葉を特定し、この特定結果を情報処理部１ｅへ出力する。情報処理部１ｅは、この特定結果に基づいて、ユーザが部屋の温度を知ろうとしていると判断する。そして、情報処理部１ｅは、情報取得部１ｂが取得した温度センサ２０３のセンサ信号に基づいて部屋の温度を判定する。次に、情報処理部１ｅは、部屋の温度を通知する画像情報（通知情報）を作成し、この画像情報を含む画像信号を通知信号送信部１ｆから送信させる。プロジェクタ装置４は、部屋の温度を示す画像を投影して、ユーザに対して部屋の温度を通知する。
【００４０】
さらに、情報処理部１ｅは、部屋の温度を通知するテキストデータを作成し、このテキストデータを音声合成部１ｇへ出力する。音声合成部１ｇは、このテキストデータを読み上げる音声情報（通知情報）を含む音声信号を生成して、スピーカ１ｈから出力させる。この場合、部屋の温度が音声でユーザに通知される。
【００４１】
上述の情報処理装置１は、筐体１１と、シーリングキャップ１１ｂ（第１取付部）と、シーリングボディ１１ｅ（第２取付部）と、通知信号送信部１ｆと、情報処理部１ｅとを備える。筐体１１は、互いに対向する上面１１ａ（第１面）および下面１１ｄ（第２面）を有する。シーリングキャップ１１ｂは、上面１１ａに設けられて、天井面１００（造営面）に取り付けられたシーリングボディ２（給電部）に着脱可能に構成され、シーリングボディ２から受電する。シーリングボディ１１ｅは、下面１１ｄに設けられて、照明器具３を着脱可能に構成され、シーリングキャップ１１ｂが受電した電力を照明器具３へ供給する。通知信号送信部１ｆは、ユーザに対する情報の通知機能を有するプロジェクタ装置４（通知機器）へ通知信号を送信する。情報処理部１ｅは、入力情報に基づく通知情報を含む通知信号を通知信号送信部１ｆから送信させる。
【００４２】
したがって、情報処理装置１は、天井面１００のシーリングボディ２から供給される電力を用いて動作することができる。また、情報処理装置１は、照明器具３を装着し、かつ照明器具３に電力を供給することができる。すなわち、情報処理装置１は、シーリングボディ２と照明器具３との間に設けられることで、設置場所と電源との両方を容易に確保することができる。
【００４３】
また、情報処理装置１は、入力情報を外部から取得する情報取得部１ｂをさらに備えることが好ましい。
【００４４】
この場合、情報処理装置１は、外部のセンサ（たとえば、人感センサ２０２、温度センサ２０３など）、サーバ（たとえばサーバ３０２など）などから取得した様々な入力情報に基づいて通知情報を生成できるので、情報処理装置１の汎用性が向上する。
【００４５】
また、情報処理装置１は、音声を集音するマイクロホン１ｃと、マイクロホン１ｃで集音された音声信号の音声認識を行って、認識結果を出力する音声認識部１ｄとをさらに備えることが好ましい。そして、入力情報は、音声認識部１ｄの出力を含むことが好ましい。
【００４６】
この場合、情報処理装置１は、音声認識部１ｄの出力に基づいて通知情報を生成できる。したがって、ユーザと情報処理装置１との間に、タブレット、リモコンなどのユーザインターフェイス機器を設けなくても、ユーザが発する音声による情報処理装置１の操作が可能となる。
【００４７】
さらに、上述の情報処理システムＡ１は、情報処理装置１と、プロジェクタ装置４（通知機器）とを備える。情報処理装置１は、筐体１１と、シーリングキャップ１１ｂ（第１取付部）と、シーリングボディ１１ｅ（第２取付部）と、通知信号送信部１ｆと、情報処理部１ｅとを備える。筐体１１は、互いに対向する上面１１ａ（第１面）および下面１１ｄ（第２面）を有する。シーリングキャップ１１ｂは、上面１１ａに設けられて、天井面１００（造営面）に取り付けられたシーリングボディ２（給電部）に着脱可能に構成され、シーリングボディ２から受電する。シーリングボディ１１ｅは、下面１１ｄに設けられて、照明器具３を着脱可能に構成され、シーリングキャップ１１ｂが受電した電力を照明器具３へ供給する。通知信号送信部１ｆは、ユーザに対する情報の通知機能を有するプロジェクタ装置４（通知機器）へ通知信号を送信する。情報処理部１ｅは、入力情報に基づく通知情報を含む通知信号を通知信号送信部１ｆから送信させる。プロジェクタ装置４は、情報処理装置１から受け取った通知情報をユーザへ通知する。
【００４８】
したがって、情報処理システムＡ１において、情報処理装置１は、天井面１００のシーリングボディ２から供給される電力を用いて動作することができる。また、情報処理装置１は、照明器具３を装着し、かつ照明器具３に電力を供給することができる。すなわち、情報処理システムＡ１において、情報処理装置１は、シーリングボディ２と照明器具３との間に設けられることで、設置場所と電源との両方を容易に確保することができる。
【００４９】
なお、シーリングボディ２とシーリングキャップ１１ｂとの連結構造と、シーリングボディ１１ｅとシーリングキャップ３１との連結構造とを互いに異なる構造としてもよい。この場合、照明器具３をシーリングボディ２に取り付けることは不可能となり、情報処理装置１は、シーリングボディ２と照明器具３との間の変換アダプタとしても機能する。
【００５０】
また、本実施形態では、シーリングボディおよびシーリングキャップを備えるシーリングローゼットの構成を用いているが、シーリングローゼットの代わりに配線ダクトとプラグとの組み合わせなどの他の構成を用いてもよい。この場合、配線ダクトが給電部および第２取付部に相当し、配線ダクトに組み合わされるプラグが第１取付部に相当する。
【００５１】
また、情報取得部１ｂは、無線ＬＡＮ以外の通信方式（たとえば、Bluetooth（登録商標）など）を用いてもよい。
【００５２】
また、通知信号送信部１ｆは、外部のスピーカ装置に対して音声信号を出力して、外部のスピーカ装置から音声情報（通知情報）を出力させる構成であってもよい。
【００５３】
また、プロジェクタ装置４の代わりにテレビ、タブレット端末、スマートフォン、パーソナルコンピュータなどの通知機器を備えて、通知機器が備える画面に画像情報を表示する構成であってもよい。
【００５４】
（実施形態２）
図８は、本実施形態の情報処理装置１Ａのブロック構成を示し、図９は、情報処理装置１Ａの外観を示す。情報処理装置１Ａは、制御信号送信部１ｉをさらに備える点が実施形態１の情報処理装置１と異なる。そして、情報処理装置１Ａは、プロジェクタ装置４と組み合わされて情報処理システムＡ２を構成する。なお、実施形態１と同様の構成には同一の符号を付して、説明は省略する。
【００５５】
制御信号送信部１ｉは、空調機器、照明機器などの外部機器６を制御する制御信号を送信する機能を有する。具体的に、制御信号送信部１ｉは、赤外線信号からなる制御信号を送信する。外部機器６は、赤外線受信部を備えており、受信した制御信号に応じた動作を行う。たとえば、外部機器６が空調機器である場合、電源オン，オフ、目標温度の設定、風量の設定などが制御信号によって制御される。なお、以下の例では、外部機器６を空調機器６Ａとして説明する。
【００５６】
たとえば、夏季においては、温度センサ２０３が検出した部屋の温度が一定値（たとえば２８℃）となるように、情報処理部１ｅは、空調機器６Ａを冷房運転させる制御信号を制御信号送信部１ｉから送信させる。冬季においては、温度センサ２０３が検出した部屋の温度が一定値（たとえば２０℃）となるように、情報処理部１ｅは、空調機器６Ａを暖房運転させる制御信号を制御信号送信部１ｉから送信させる。
【００５７】
また、帰宅後のユーザが発した「冷房運転開始」という音声をマイクロホン１ｃが集音したとする。この場合、音声認識部１ｄは、マイクロホン１ｃの出力に基づいて音声認識処理を行うことで、「冷房運転開始」という言葉を特定し、この特定結果を情報処理部１ｅへ出力する。情報処理部１ｅは、この特定結果に基づいて、ユーザが冷房運転の開始を要求していると判断する。そして、情報処理部１ｅは、空調機器６Ａを冷房運転させる制御信号を制御信号送信部１ｉから送信させる。
【００５８】
なお、情報処理部１ｅは、人感センサ２０２、サーバ３０２などからの他の入力情報に基づいて、制御信号送信部１ｉから制御信号を送信させてもよい。また、制御対象となる外部機器６は、空調機器６Ａ以外に、照明機器、情報機器などの他の機器であってもよい。
【００５９】
情報処理装置１Ａの筐体１１Ａは、図９に示すように、円盤状の本体１１０の側面から、３つの直方体状の腕部１１１が等間隔に形成されている。腕部１１１の先端面には、赤外線出射口１１２が設けられており、制御信号送信部１ｉが発した制御信号（赤外線信号）は、赤外線出射口１１２から筐体１１Ａ外に送信される。すなわち、制御信号は、３方向に放射状に送信されるので、情報処理装置１Ａの周囲に配置された外部機器６は、制御信号を受信し易くなる。
【００６０】
上述の情報処理装置１Ａは、外部機器６を制御する制御信号を送信する制御信号送信部１ｉをさらに備えることが好ましい。情報処理部１ｅは、入力情報に基づいて制御信号送信部１ｉから制御信号を送信させる。
【００６１】
この場合、外部のセンサ、サーバなどから取得した様々な入力情報に基づいて制御情報を生成できるので、情報処理装置１の汎用性が向上する。
【００６２】
また、制御信号送信部１ｉは、赤外線通信以外の通信方式（たとえば、無線ＬＡＮ、Bluetoothなど）を用いてもよい。
【００６３】
（実施形態３）
図１０は、本実施形態の情報処理装置１Ｂのブロック構成を示し、図１１は、情報処理装置１Ｂの外観を示す。情報処理装置１Ｂは、プロジェクタ１ｊ（映像生成部）を備えて、通知信号送信部１ｆを備えていない点が実施形態１の情報処理装置１と異なる。なお、実施形態１と同様の構成には同一の符号を付して、説明は省略する。
【００６４】
情報処理装置１Ｂの情報処理部１ｅは、情報取得部１ｂおよび音声認識部１ｄのそれぞれの出力に基づく通知信号として画像信号を生成した場合、この画像信号をプロジェクタ１ｊ（映像生成部）へ出力する。プロジェクタ１ｊは、画像信号に基づく映像を住戸の壁面、スクリーンなどに投影する。すなわち、情報処理装置１Ｂは、情報処理装置１とプロジェクタ装置とを一体化した構造を備える。
【００６５】
情報処理装置１Ｂの筐体１１Ｂは、図１１に示すように、筐体１１Ｂの側面にプロジェクタ１ｊの投影レンズ１１３を設けており、投影レンズ１１３が壁面またはスクリーンに対向するように設置される。
【００６６】
また、本実施形態の構成を実施形態２の情報処理装置１Ａに適用することも可能である。
【００６７】
上述の情報処理装置１Ｂは、筐体１１Ｂと、シーリングキャップ１１ｂ（第１取付部）と、シーリングボディ１１ｅ（第２取付部）と、情報処理部１ｅと、プロジェクタ１ｊ（映像生成部）とを備える。筐体１１Ｂは、互いに対向する上面１１ａ（第１面）および下面１１ｄ（第２面）を有する。シーリングキャップ１１ｂは、上面１１ａに設けられて、天井面１００（造営面）に取り付けられたシーリングボディ２（給電部）に着脱可能に構成され、シーリングボディ２から受電する。シーリングボディ１１ｅは、下面１１ｄに設けられて、照明器具３を着脱可能に構成され、シーリングキャップ１１ｂが受電した電力を照明器具３へ供給する。情報処理部１ｅは、入力情報に基づく画像信号を出力する。プロジェクタ１ｊは、画像信号に基づく映像を生成する。
【００６８】
したがって、情報処理装置１Ｂは、天井面１００のシーリングボディ２から供給される電力を用いて動作することができる。また、情報処理装置１Ｂは、照明器具３を装着し、かつ照明器具３に電力を供給することができる。すなわち、情報処理装置１Ｂは、シーリングボディ２と照明器具３との間に設けられることで、設置場所と電源との両方を容易に確保することができる。
【００６９】
さらに、情報処理装置１Ｂは、プロジェクタ１ｊを一体に備えているので、省スペース化を図ることができ、配線の必要がなく、施工作業を簡略化することができる。
【００７０】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００７１】
Ａ１  情報処理システム
１，１Ａ，１Ｂ  情報処理装置
１１，１１Ａ，１１Ｂ  筐体
１１ａ  上面（第１面）
１１ｂ  シーリングキャップ（第１取付部）
１１ｄ  下面（第２面）
１１ｅ  シーリングボディ（第２取付部）
１ａ  電源部
１ｂ  情報取得部
１ｃ  マイクロホン
１ｄ  音声認識部
１ｅ  情報処理部
１ｆ  通知信号送信部
１ｇ  音声合成部
１ｈ  スピーカ
１ｉ  制御信号送信部
１ｊ  プロジェクタ（映像生成部）
２  シーリングボディ（給電部）
３  照明器具
３１  シーリングキャップ
３２  電気ケーブル
３３  灯具
４  プロジェクタ装置（通知機器）
１００  天井面（造営面）
【図１】
2017073744.tif 000003
【図２】
2017073744.tif 000004
【図３】
2017073744.tif 000005
【図４】
2017073744.tif 000006
【図５】
2017073744.tif 000007
【図６】
2017073744.tif 000008
【図７】
2017073744.tif 000009
【図８】
2017073744.tif 000010
【図９】
2017073744.tif 000011
【図１０】
2017073744.tif 000012
【図１１】
2017073744.tif 000013